(57)【要約】【課題】空中浮遊する病原体及びカウンタートップのような表面上の病原体を紫外線（ＵＶ）光に暴露し、このような病原体を破壊又は中和し、これらの効果を失わせる、又は効果を低下させる。【解決手段】消毒化粧鏡は、壁に取り付けられた場合に、上端、下端及び側縁を有する鏡パネルを含む。鏡は、１つの側縁に沿うヒンジに、移動可能に取り付けられる。ヒンジは、パネルを壁から離間させ、鏡パネルの裏にプレナムスペースを形成し、空気が下端を通して入って上昇し、上端を通して出ることを可能とするように、取り付けられる。ＵＶ光源は、プレナムスペース近傍に設けられ、プレナムスペースを通して上方に移動する空気を除菌する。コントローラは、動作検出器が鏡近傍の動作を検知した場合に、及び／又はＵＶ光源への電力印加及び電力遮断のためにプログラムされた一連のオンオフ時間に従って、ＵＶ光の生成を中断又は中止するようにプログラムされる。【選択図】図２
2018118044.tif 000002
【特許請求の範囲】
【請求項１】
消毒化粧鏡であって、
壁に取り付けられた場合に、上端、下端及び側縁を有する鏡パネルと、
前記鏡パネルを、鉛直方向面と離間した関係となるように、前記鉛直方向面に取り付けるための取り付け手段であって、前記鏡パネルと前記鉛直方向面との間に、前記上端及び前記下端において開放されるプレナムスペースを形成し、前記下端を通して入り前記上端を通して出る上昇空気に対して、前記プレナムスペースを通る実質的に鉛直な空気通過経路を提供する、取り付け手段と、
前記プレナムスペース内の又はその近傍の前記下端の少なくとも一部に実質的に沿うＵＶ光源であって、前記下端近傍の空気を局所的に加熱することによって、対流を促進し、前記プレナムスペース近傍の空気及び付近の表面の少なくとも１つをＵＶ光に暴露し、これにより、前記ＵＶ光が、前記ＵＶ光に暴露された、前記プレナムスペースを上方に移動する空気及び近傍の表面を除菌する、ＵＶ光源と、
を備える化粧鏡。
【請求項２】
前記取り付け手段は、取り付ける前記壁と実質的に平行な、前記プレナムスペースを形成する標準的閉鎖位置と、前記プレナムスペースへのアクセスを提供する開放位置との間で移動可能となるように、前記鏡パネルを取り付ける、前記鉛直方向の自由端におけるヒンジを含む、請求項１に記載の化粧鏡。
【請求項３】
前記ヒンジは、塑性ヒンジである、請求項２に記載の化粧鏡。
【請求項４】
前記ＵＶ光源は、２００−２８０ｎｍの範囲内のＵＶ光を発光するＬＥＤのストリップ、水銀及びキセノン管の少なくとも１つを含む、請求項１から３のいずれか１項に記載の化粧鏡。
【請求項５】
前記ＵＶ光源を通過し、前記プレナムスペースを通る対流によって空気の移動を促進すべく、前記下端近傍の空気を加熱するための手段をさらに備える、請求項１から４のいずれか１項に記載の化粧鏡。
【請求項６】
前記加熱するための手段は、熱ストリップを含む、請求項５に記載の化粧鏡。
【請求項７】
化粧鏡を有する医療施設、ワークスペース及び他のチャンバの空気を消毒又は滅菌する方法であって、
化粧鏡の裏にプレナムスペースを形成すべく、前記化粧鏡を壁から予め定められた間隔で配置する段階と、
前記プレナムスペース内の前記空気における、又は前記プレナムスペース近傍の表面における病原体を、１００−２８０ｎｍの範囲のＵＶＣ光に暴露すべく、前記プレナムスペース、及び前記プレナムスペースの内部又は近傍にＵＶ光を提供する段階と、
を備える方法。
【請求項８】
前記化粧鏡近傍の動作の検出、及び予め定められた一連の時間インターバルに従って、ＵＶ光を活性化及び非活性化するようにプログラムされたタイマの少なくとも１つに応答して、前記ＵＶ光の生成を阻害するための手段をさらに備える、請求項１から６のいずれか１項に記載の化粧鏡。
【請求項９】
前記化粧鏡近傍の人がＵＶ光に暴露される可能性を制限すべく、前記ＵＶ光の生成を制御及び間欠的に中断するための制御手段をさらに備える、請求項１から６及び８のいずれか１項に記載の化粧鏡。
【請求項１０】
前記制御手段は、動作検出器又はプログラマブルコントローラの少なくとも１つを含む、請求項９に記載の化粧鏡。
【発明の詳細な説明】
【技術分野】
【０００１】
本発明は、概して、化粧鏡に関し、より詳細には、医療施設又は他の施設において用いられる２００−２８０ｎｍの範囲内の紫外線（ＵＶ）光源に病原体を暴露することによって、空気を消毒及び浄化する無害な化粧鏡に関する。
【背景技術】
【０００２】
病院、介護施設等における医療関連感染（ＨＡＩ）は、深刻な健康問題である。ＨＡＩは、米国において年間で９９，０００名超の死亡者を発生させている、又はこれに寄与していると概算されている。米国疾病予防管理センター（ＣＤＣ）は、患者２５名のうち１名が、その滞在中に少なくとも１つの感染症に罹患すると報告している。様々な細菌が、病院及び他の医療施設において表面に適用される消毒剤に対して免疫又は耐性を有する。これらの細菌は、病室等におけるカウンタートップ及び他の表面を清掃するために用いられる多くの化学消毒剤に対して耐性を有するので、一般的に、「ブドウ球菌」感染と称されるものを発生させる。一般的な問題は、例えば、国際紫外線協会の公報ＩＵＶＡＮｅｗｓにおいて説明されている。ｈｔｔｐ：／／ｗｗｗ．ｉｕｖａ．ｏｒｇ／Ｐｕｂｌｉｃａｔｉｏｎｓこれらの感染は、予防可能であるとみなされている。２０１１年、連邦政府は、その滞在中に感染した患者への医療行為に関して、病院への補償を中止した。以来、高感染率に対してさらなる罰則が加えられた。これらは、いくつかの状況では、収益全体の４０％にもなる。
【０００３】
成功へのハードルの１つが、標準的な消毒製品及び運用に対して耐性を有する多剤耐性微生物（ＭＤＲＯ）である。これが、ＵＶ−Ｃ（ＵＶ）のような新技術への扉を開いた。
【０００４】
毎年、百万人超の患者が、病院におけるその初期滞在と関連のない疾病に罹患する。毎年約１００，０００人の米国人が、この理由により死亡する。精神面及び経済面の両方において、コストは圧倒的で、算出困難である。
【０００５】
病室内における最大の病原体集中は、洗面所のシンク周囲のエリアにおける表面で発生する。詳細には、蛇口及びハンドル、これらの制御部分の間の表面、ならびにシンクのすぐ上の壁面を含むシンク裏の跳ね返り部分が、典型的な病室において、最も感染しているエリアである。
【０００６】
様々なＵＶ装置が、感染力を有する病原体を減少させるために提案されてきた。例えば、航空機の洗面所は、飛行中に、病原体を減少させるＵＶ  ＬＥＤストリップを利用し始めた。他の施設は、病原体をＵＶ光源に暴露する様々な装置を設置している。しかしながら、ＵＶ光源は、概して、別個の又は単体の装置であり、詳細には、間欠的な適用向けに設計されている。
【発明の概要】
【発明が解決しようとする課題】
【０００７】
上述の問題、及び空中浮遊する病原体の除菌又は滅菌と関連する他の問題に対処するために、本発明の目的は、空中浮遊する病原体及びカウンタートップのような表面上の病原体を紫外線（ＵＶ）光に暴露し、このような病原体を破壊又は中和し、これらの効果を失わせる、又は効果を低下させる、さらなる機能を果たす消毒化粧鏡を提供することである。
【０００８】
本発明の他の目的は、前述の目的に関して、感染制御要件を満たし、構造が単純で安価に製造できる消毒化粧鏡を提供することである。
【０００９】
本発明のさらに他の目的は、前述の目的に関して、医療施設、ならびに表面及び空気の浄化及び消毒を必要とする他の施設において、シンク、カウンタートップ及び他のエリアの上に設置できるように、単純かつ簡便な消毒化粧鏡を提供することである。
【００１０】
本発明のさらに他の目的は、空気を加熱し、ＵＶ光源を通過する対流によりこれを上昇させることによって、空気流の除菌又は滅菌を促進及び加速する、説明されているタイプの消毒化粧鏡を提供することである。
【００１１】
本発明のさらなる目的は、利用者にとって安全で有効な、目障りにならず審美的に満足なＵＶ−Ｃ光源を組み込む消毒化粧鏡であって、カウンタートップ近傍にあること、及び空気をリサイクルすることの両方によって、細菌のＵＶ照射に対するさらなる暴露を保証し、連続的で信頼性の高い抗菌除菌作用を提供する消毒化粧鏡を提供することである。
【００１２】
本発明のなおさらなる目的は、シンク及び／又はカウンタートップの上（例えば、表面の１０インチ（約２５４ｍｍ）上）に、又は除菌もしくは消毒を必要とする他のエリアに、化粧鏡の下縁に沿ってＵＶ光源を組み込むことによって、空中浮遊する細菌及び表面を除菌又は消毒し、空気が鏡の裏のプレナムスペースを通して上昇しＵＶ光源に暴露されるように、空気を加熱する方法を提供することである。
【課題を解決するための手段】
【００１３】
上述の目的、及び以下に明らかにされる他の目的を実現すべく、本発明に係る消毒化粧鏡は、壁に取り付けられた場合に上端及び下端を有する鏡パネルを含む。鏡パネルを、カウンタートップ、シンク等の上において、鉛直方向面から離間した関係となるように鉛直方向面に取り付けるための取り付け手段が提供される。取り付け手段は、鏡パネルと鉛直方向面との間に、上端及び下端において開放されるプレナムスペースを形成し、下端を通して入り上端を通して出る上昇空気に対して、プレナムスペースを通る「煙突状」の実質的に鉛直な空気通過経路又は列を提供する。上昇空気をＵＶ光に暴露する、下端の少なくとも一部に実質的に沿うようなＵＶ光源が提供される。ＵＶ光源は、下端近傍の空気を局所的に加熱することによって対流を促進し、これにより、ＵＶ光は、プレナムスペースを通って上方に移動する空気を除菌する。空気は、プレナムスペースにおいて、ＵＶ光に暴露される。しかしながら、ＵＶ光源は、鏡の裏、鏡に面する壁、又はプレナムスペース近傍の任意の位置に配置されてよい。
【００１４】
本発明に係る方法は、壁から予め定められた間隔を有し、鏡の裏にプレナムスペースを形成する化粧鏡を有する医療施設及び介護施設、ワークスペース及び他の閉鎖領域のカウンタートップの表面及び空気を消毒又は滅菌する段階と、プレナムスペース内の空気を暴露するＵＶ光であって、空気を加熱し、プレナムスペースを通してこれを上昇させ、空気中の病原体を１００−２８０ｎｍの範囲のＵＶ−Ｃ光に暴露するＵＶ光を、例えば、鏡の下端に沿って設ける段階と、を含む。プレナムスペースの下端における空気は、有利には、補助加熱要素によって加熱され、プレナムスペースを通る空気の移動を促進及び加速し、空気をリサイクルし、空気浄化及び病原体の除去をさらに実行してよい。
【図面の簡単な説明】
【００１５】
当業者であれば、以下の詳細な説明、特許請求の範囲、及び図面を読めば、本発明から導出する改良及び利点を認識しよう。
【図１】本発明に係る消毒化粧鏡の前方立面図である。
【図２】図１に示される鏡の後方立面図である。
【図３】図１及び２に示される鏡の上方平面図であり、鏡パネルが開放位置にある。
【図４】図３に示される詳細Ａの拡大図である。
【図５】図２に示される鏡の下部領域の、線５−５に沿った拡大部分断面図である。
【図６】図３に示される詳細Ｂの拡大図である。
【図７】本発明に係る消毒化粧鏡の代替的な実施形態の後方立面図である。
【図８】図５と類似するが、図７に示される鏡の、線８−８に沿った図である。
【図９】図２と類似するが、ＵＶ−ＬＥＤストリップも鉛直方向ヒンジに沿って延び、ヒンジ上で、又はその近傍の位置で蓄積し得る細菌を除菌する代替的な実施形態を示す。
【図１０】図９に示される実施形態の、１０−１０に沿った拡大断面図であり、ＵＶ−ＬＥＤストリップのヒートシンクとして機能する、鏡に取り付けられたアルミニウムのアングルをさらに示す。
【図１１】図９に示される実施形態の部分的上方平面図であり、ヒンジに沿って延びる鉛直方向ＵＶ−ＬＥＤストリップの位置を示す。
【図１２】図２及び９と類似し、ＵＶ水銀ランプがＵＶ−ＬＥＤストリップの代わりに用いられ、このようなランプが鏡の下縁に沿って、かつ、ヒンジ近傍の鏡の１つの側に沿って提供される、さらなる実施形態を示す。
【図１３】図１２に示される実施形態の、線１３−１３に沿った拡大断面図であり、ＵＶ水銀ランプから過剰な熱を除去するためのＵＶ水銀ランプ及びヒートシンクを示す。
【図１４】鏡近傍の個人を保護すべく、ＵＶ光の過剰発光を制御又は制限するために、上述の消毒化粧鏡の実施形態に関連して利用可能な動作制御配線回路の模式図である。
【図１５】ＵＶ光の過剰発光を制御及び防止するために、図１４に示される回路を有する、図１４におけるプログラムされたコントローラの動作を表すフローチャートを示す。
【発明を実施するための形態】
【００１６】
病院における、及び上記エリアに集中する、最も流行する危険な２０前後の病原体は、長さが２７０−２８０ナノメートルの範囲の紫外波に暴露された場合に大幅に減少可能であり、その事実は、今や十分に実証されている。この特定の波長（ＵＶＣ波と称される）を生成するＵＶダイオードは、最近の数年間で、市場において入手可能となった。
【００１７】
本願の出願人は、ＵＶを生成し、照明器具でもある電化壁掛け鏡を開発し、親特許出願第１５／４１８，２３１として出願した。これは、
ａ．審美的に許容可能であり、
ｂ．設置が容易であり、
ｃ．２４時間で約４５分用いられた場合に病原体の９９．９９％を破壊し、
ｄ．完全に安全であり、
ｅ．メンテナンス及び清掃のために、ユニットの裏に容易にアクセス可能であり、
ｆ．壁掛け鏡及び照明器具の両方として機能する。
【００１８】
ユニットは、ヒンジで取り付けられ、現在ホテル産業に販売されている、永久的に取り付けられたバックライト付き電化鏡に、幾分類似する。米国のみで、約６，０００の病院が存在し、その各々が、約３００部屋を有する。毎年６００超の病院が、建設又は完全に改修され、これは、１年あたり１８０，０００部屋（及び洗面所）に相当するが、例えば、共同洗面所、スタッフ用洗面所、食品調理に関連する洗い場エリアは含まない。これは、明らかにされていたならば、米国において約２００，０００のＵＶＣ生成鏡につながり得る。
【００１９】
米国は、現在の国際的病院市場の２５−３５パーセントに相当する。この概算は、介護トイレの手洗い又は洗面所も、オフィス、レストランのような商業施設も含んでおらず、住宅市場への機会又は現在ホテル市場に販売中の鏡に代わるアップグレード版としての機会を含まない。これは、重大かつ重要な市場に相当する。
【００２０】
ここで、詳細には、図を参照すると、同一又は類似の部分は、全体を通して同じ参照番号で示されている。最初に図１を参照すると、本発明に係る消毒化粧鏡は、概して、参照番号１０で示されている。
【００２１】
好ましい実施形態において、鏡１０は、概して、図示されるように矩形形状であり、上端１０ａ及び下端１０ｂを含む。鏡１０は、中央反射面１２ａ及び艶消し周辺ストリップ１２ｂを有する鏡パネル１２を含む。鏡パネル１２は、３／１６インチ（約４．７６３ｍｍ）の透明なホスピタリティグレードの鏡であってよい。鏡１０は、ニューヨーク、マウントバーノンのＭｕｎｎＷｏｒｋｓ  ＬＬＣによって製造されたタイプのバックライト付き鏡と、外観において類似してよい。
【００２２】
可視光を、例えば、２７００ｋで発光するＬＥＤストリップ１４は、従来的な態様で、艶消し周辺ストリップ１２ｂを通して照明を提供する。
【００２３】
図２〜図５を参照すると、鏡１０は、典型的には、カウンタートップＣの上において壁又は鉛直方向面１６に取り付けられ、鏡パネル１２と取り付け面との間にプレナムスペース１８を形成する。プレナムスペース１８は、上端及び下端１０ａ、１０ｂに開口を有し、図２における矢印２０によって示唆されるように、空気が下端１０ｂを通して入り、上端１０ａを通して出ることによって上昇する、実質的に鉛直な空気シャフト、経路又は列を提供する。カウンタートップＣの上の鏡１０の高さは重要ではないが、代表的高さの１０インチ（約２５４ｍｍ）が典型的であり、本発明の用途において、有益な消毒の成果を提供する。
【００２４】
詳細には、図３〜図６を参照すると、鏡１０の取り付け方法が示される。長取り付け部分２２ａ及び短取り付け部分２２ｂを含む鏡ハンガ２２が提供される。示されるように、壁に取り付けられた場合に、長取り付け部分２２ａは、概して、壁１６と平行に延び（ｃｏｅｘｔｅｎｓｉｖｅ）、短取り付け部分２２ｂは、長取り付け部分の１つの側方に設けられ、概して、長取り付け部分と垂直な外方向に、壁１６から離れるように突出する。短取り付け部分２２ｂの鉛直方向の自由端に沿って、ヒンジ２４が提供される。ヒンジ２４は、破線の輪郭で示される、壁と実質的に平行で、プレナムスペース１８を形成する標準的閉鎖位置１２'と、図３及び４において実線で示される、プレナムスペース１８へのアクセスを提供する開放位置１２''との間で移動可能となるように、鏡パネル１２を取り付ける。図示される実施形態において、鏡パネル１２は、壁１８から約２インチ（約５０．８ｍｍ）の距離ｄで離間し、プレナムスペース１８に、寸法ｄより幾分小さい深さを与える。
【００２５】
任意の好適な又は従来のヒンジが、鏡パネル１２を取り付けるために利用可能である。しかしながら、図４に示されるように、病原体が詰まって増殖する可能性のある間隙又は割れ目を除去する、又はこれらの数を最小化するＵ形の塑性ヒンジ２４が、本用途には好ましい。鏡パネル１２を壁１８と平行なその標準的閉鎖位置に維持するために、好適なストッパ又はスペーサ２６が提供される。ストッパ又はスペーサ２６は、鏡パネルの位置を、壁１８から間隔ｄにあるその閉鎖位置に維持し、鏡パネルを所望の位置に保持し、プレナムスペース１８の完全性を保証する。スペーサ又はストッパ２６は、鏡パネルがその閉鎖位置から不用意に移動することを防止するマグネット２８を、鏡パネル１２上に含むものとして示される。
【００２６】
本発明の重要な特徴は、下端１０ｂの幅の少なくとも一部に沿って、好ましくはその全体に沿って延びるＵＶ光源３０を一体化したことである。ＵＶ光源３０は、下端１０ｂ近傍の空気を局所的に加熱することによって空気の対流を促進し、空気流２０を生成する。ＵＶ光は、煙突効果に倣って、かつＵＶ光源３０を通過した空気の移動を促進するように形成されたプレナムスペース１８を通って、上方に移動する空気を除菌する。また、ＵＶ光源３０を鏡１０の下端又は下縁近傍に設けることによって、ＵＶ光は、カウンタートップＣ上の病原体を効率的に除菌又は中和する。
【００２７】
好ましい本実施形態によれば、ＵＶ光源３０は、２００−２８０ｎｍの範囲内、好ましくは２４０−２８０ｎｍの範囲内のＵＶ光を発光するＬＥＤのストリップの形式である。ＩＵＶＡＮｅｗｓの文献に示されるように、紫外線照射は、最も広義には、１０−４００ｎｍの範囲内の照射からなるものとして定義される。しかしながら、消毒用途に最も有効なものは、標準的にはＵＶ−Ｃとして示される短波紫外線光である。ＵＶ−Ｃは、波長１００−２８０ｎｍを含むが、２４０−２８０ｎｍが、空中浮遊する病原体を除菌又は滅菌するために最も有効である。当該範囲のＵＶ光は、ＤＮＡによって最も効率的に、最大吸収約２６０ｎｍで吸収される。ＵＶ−Ｃは、空気浄化、滅菌及び消毒に用いられてきた。２４０−２８０ｎｍの高強度ＵＶ照射は、生きた微生物のＤＮＡを破壊可能である。ＵＶ照射の有効性は、強度及び暴露時間に直接関連する。本消毒化粧鏡１０は、プレナムスペース１８を通過する空気を間断なく循環及びリサイクルし、空気をＵＶ  ＬＥＤストリップ３０に連続的に暴露させることによって、微生物及び病原体を中和する簡便、安価、かつ有効な方法である。
【００２８】
プレナムスペース１８を通って移動させられる空気を増量すべく、本発明は、有利には、鏡の下端１０ｂにおいてＵＶ  ＬＥＤストリップ３０近傍の空気をさらに加熱するために、図７及び図８に示される熱ストリップ３２を用いる。ＵＶ  ＬＥＤストリップ３０による空気の加熱と熱ストリップ３２による空気の加熱との間で、化粧鏡１０より下にある空気は、より迅速に、より積極的に加熱され、より高温になる。これにより、より多量の空気を、プレナムスペース１８を通って上方に移動させ、これにより、ＵＶ光源３０に暴露される病原体の数が増加する。
【００２９】
例えば、シンク又はカウンタートップＣの上、約１０インチ（約２５４ｍｍ）の高さにおいて、幅２４−３０インチ（約６０９．６−７６２ｍｍ）及び高さ３４−４０インチ（約８６３．６−１０１６ｍｍ）の鏡１０を用いることによって、電力が１日あたり約３０分だけ印加されれば、最も有害な病原体が中和可能となる。ＬＥＤストリップは、従来は、（例えば、シンク、カウンタートップ及び化粧鏡が典型的に設置される洗面所において）壁のスイッチがオンにされた場合に通電される。標準的には、化粧台は、１日あたり少なくとも３０分用いられる。
【００３０】
消毒化粧鏡１０は、従って、カウンタートップに見られる微生物の空中浮遊物及び表面の除菌及び除染の有効性を高めるように電力印加された場合に、病原体で汚染された空気を継続的又は連続的にＵＶ−Ｃ光に暴露する、安価で信頼性の高い方法である。
【００３１】
ＵＶ光源３０を鏡の下縁に沿って、鏡パネル１２の裏に配置することによって、多数の利点が実現される。ユーザは、ユーザの目及び皮膚に有害となり得るＵＶ照射から保護される。また、光は、鏡において反射せず、望ましくない影もしくはトーン又は照明の歪みを回避する。ＬＥＤ光ストリップを用いることにより、水銀ランプ又は電球のような従来のＵＶ源に対して、光源が大幅に長寿命化する。ＵＶ光源を化粧鏡と一体化させることによって、操作者に、特殊なＵＶ器具を用いて施設を定期的に除菌させる必要がなくなる。
【００３２】
本発明の方法は、従って、化粧鏡１０の鏡パネル１２を、化粧鏡が用いられる医療施設、ワークスペース又は他のチャンバの壁から、予め定められた間隔で位置付け、鏡の裏にプレナムスペース１８を形成する。ＵＶ光は、そこで、鏡の下端に設けられ、空気を加熱し、プレナムスペースを通ってこれを上昇させ、空気中の病原体を、１０−４００ｎｍの範囲、好ましくは２４０−２８０ｎｍの範囲のＵＶＣ光に暴露する。最適な波長は、約２６０ｎｍである。
【００３３】
方法は、有利には、プレナムスペースを通る空気の移動を促進すべく、空気をさらに加熱するさらなる段階を含む。これにより、消毒又は滅菌されるべき空気のＵＶ光への暴露が加速する。これは、熱ストリップを鏡の下端に配置することによって、実現可能である。
【００３４】
図９、図１０及び図１１に示される代替的な実施形態を参照すると、ヒンジ２４近傍の鏡の鉛直方向縁に沿って設けられた、追加ＵＶ−ＬＥＤストリップ３０ａが示される。追加ＵＶ−ＬＥＤストリップ３０ａは、ヒンジが常に容易に手動で清掃又は除菌されるわけではないことから、ヒンジ表面に付着し得る細菌を除菌するように機能する。ＵＶ−ＬＥＤストリップ３０ａの作用は、手動メンテナンスされても、されなくても、ヒンジを細菌のない状態で維持することを保証する。鏡の下縁に取り付けられたアルミニウムのアングル３４が示される。ここで、ＵＶ−ＬＥＤストリップが固定される。アングル３４は、ヒートシンクとして機能し、過剰な熱がＵＶ−ＬＥＤストリップ３０において増大することを防止し、過剰な熱の蓄積を防止することによって、ＵＶ−ＬＥＤストリップの信頼性及び長寿命化を促進する。
【００３５】
図１１において、鉛直方向ＵＶ−ＬＥＤストリップ３０ａの位置がヒンジとの関連で示され、好ましくは、暴露されるヒンジ内面のおおよそ中ほどである。ここは、細菌が蓄積する可能性が最も高く、手動メンテナンスが最も困難となり得る。
【００３６】
図１２及び図１３を参照すると、なおさらなる実施形態が示される。これは、ＵＶ−ＬＥＤストリップが小型蛍光管の形式のＵＶ水銀ランプ又は電球によって置換されている点を除き、図９、図１０及び図１１に示される実施形態に類似する。これらは、水銀ランプ、キセノンランプ、又はＵＶ波生成成分、波もしくは光を有する任意のランプであってよい。本発明は、鏡の裏、及び取り付けたヒンジ近傍のエリアを消毒するために、鏡の裏において好適なＵＶ光を生成するＵＶ源を用いることに想到する。
【００３７】
前述の事項を考慮すると、本発明は、広義には、ヒンジにより壁に取り付けられる電気バックライト付き鏡に想到する。ヒンジは、鏡の裏面及び鏡の裏の壁を暴露及び消毒し、鏡が取り付けられる壁と離間した関係となるように鏡を取り付けるヒンジを消毒するための移動を容易にする。これに関連して、ドライバ、エレクトロニクス、ＬＥＤダイオード、ＵＶダイオード、ＵＶ光電球、管又はランプは、全て、鏡自体に取り付けられてよく、鏡の裏の壁が、鏡を保持する金属アングル以外のいずれのアタッチメントも有さないことを可能とする。これにより、細菌が堆積する可能性の高い鏡の裏の壁全体の手動消毒を、容易化及び促進する。
【００３８】
ＵＶ光源の位置は、好ましくは、鏡の下縁に沿って設けられ、これは、このような光源にとって実用的な位置であるが、本発明は、生成されたＵＶ光が消毒のために処理されるべき空気及び表面を暴露するために有効である限り、ＵＶ光源を、鏡の裏、又は鏡の裏の壁の任意の位置に配置することに、さらに想到する。本発明は、ＵＶ光源が、電気的コンポーネントを損なうことなく鏡の裏の壁エリアを手動で消毒可能とする何らかの態様において、カバー又はカプセル化されるように保護可能である限り、ＵＶ  ＬＥＤストリップ又はダイオードを、鏡の裏のみならず、鏡に面する壁自体に取り付けることに、さらに想到する。ＵＶ光源を鏡の裏、又は鏡が閉鎖位置にある場合に鏡に面する壁の部分のいずれかに取り付けることの利益は、上述されたものと実質的に同じ利益を与える。
【００３９】
鏡が取り付けられた閉鎖領域の患者及び利用者の安全性に対する、ＵＶ光の過剰暴露による潜在的な害を回避し、政府及び／又は病院規則に適合するために、本発明の鏡は、ＵＶ光源又は生成器を間欠的に非活性化又は阻害するための回路を備え、これにより、これらは、常にオン状態で、ＵＶ光を連続的に発光するのではなく、間欠的であるが、閉鎖領域内のエリアを除菌又は消毒するために有効な程度に、オン状態であってよい。図１４を参照すると、この目的に利用可能な回路３８が示される。回路３８も、好ましくは、鏡の裏に取り付けられ、細菌が定着及び成長可能な開口、トラップ又は表面積を最小化するように、カプセル化される可能性がある。回路３８は、２つの目的のために機能する。第１の目的は、ＵＶ光源（例えば、３０及び３０ａ）を、所望の又は予め定められたスケジュールに従って周期運転させることであり、第２の目的は、鏡が取り付けられた閉鎖領域内における動作を検出することである。これにより、ＵＶ光源は、鏡近傍に動作が検出された場合に、非活性化、阻害又は電力遮断されることが可能となる。任意のプログラムされたコントローラが、これらの機能を提供するために利用可能である。回路３８は、例として、プログラムされたコントローラ４２に接続された動作検出器４０の利用を示す。２４ボルト電源のような電源４４が、回路３８に電力印加するために用いられ、５ボルトレギュレータが、必要に応じて、プログラムされたコントローラ４２に通電する調整電圧を生成するために用いられる。ポート４２ａにおいてコントローラ４２に接続されるキャパシタ４８、電界効果トランジスタ（ＦＥＴ）５０及び抵抗５２は、図示されるように、プログラムされたコントローラの入力ポート４２ｂ及び出力ポート４２ｃに接続される。ＵＶ  ＬＥＤ光源３０、３０ａは、図示されるように接続される。プログラムされたコントローラ４２に接続されるコンポーネントは、図１５に関連して説明されるように、予め定められた時間インターバルを確立するタイマとして、コントローラ４２を動作させる。図１４は、しかしながら、ＵＶ−ＬＥＤの動作タイミングに関する、プログラムされたコントローラの１つだけの構成であるが、任意の他の公知のタイマ又はタイミング回路が、この目的のために用いられてよい。
【００４０】
図１５を参照すると、ＵＶ光源がＬＥＤ、ランプ、電球、蛍光灯等のいずれであろうと、これらを監視及び制御するためのプログラムされたプロトコル又はロジックを示すフローチャート５２が示される。最初に、コントローラ４２は、５４において動作を開始し、５６において、６時間インターバルでタイマをインクリメントする。そこで、外部の影響を受けることなく、コントローラは、６時間毎に、ＵＶ光源に電力印加する。ＵＶ光源は、２４時間中に４回電力印加される。５８において、コントローラ４２は、６時間タイマがその６時間インターバルを完了したか否かをクエリする。６時間周期が完了した後で、全てのタイマは、６０においてリセットされ、コントローラは、５４の開始位置に戻る。全６時間タイマが完了していない場合、コントローラは、６２において、動作検出器４０が何らかの動作を検出したか否かをクエリする。動作が検出された場合、動作検出及びＵＶ−ＬＥＤ光照射タイマは、６４においてリセットされ、コントローラは、５６における全６時間タイマのインクリメントに戻り、プロトコルを繰り返す。動作が６２において検出されなかった場合、コントローラは、６６において、１０分動作検出タイマが完了したか否かをクエリする。動作検出タイマが完了していなかった場合、１０分動作検出タイマは、６８において１秒インクリメントされ、コントローラは、５６における全６時間タイマのインクリメントに戻る。１０分動作検出タイマが６６において完了していた場合、コントローラ４２は、７０において、１５分ＵＶ−ＬＥＤ光照射タイマが完了したか否かをクエリする。これが完了していた場合、コントローラは、７２において、待機するよう命令される。その後、５６において、全６時間タイマが１秒インクリメントされる。１５分ＵＶ−ＬＥＤ光照射タイマが７０において完了していなかった場合、ＵＶ光源は、７４において、１秒間オンにされる。ＵＶ光が７４において活性化された後で、１５分ＵＶ−ＬＥＤタイマは、７６において１秒インクリメントされ、全６時間タイマは、その後、５６において再びインクリメントされる。周期は、予め選択された又は所望の時間インターバルでＵＶ光源の動作又は電力印加を調整するプログラムコントローラ４２により、動作検出器４０によって検知された個人の存在によって変形され得るように、継続的又は連続的に繰り返される。
【００４１】
前述の事項は、本発明の原理の例示に過ぎないとみなされる。さらに、当業者であれば、多数の変形及び変更に容易に想到するので、発明を、図示及び説明された厳密な構造及び動作に限定することは望ましくない。従って、全ての好適な変形及び均等物は、本発明の範囲に再分類されてよく、これに属する。
［項目１］
消毒化粧鏡であって、
壁に取り付けられた場合に、上端及び下端を有する鏡パネルと、
上記鏡パネルを、鉛直方向面と離間した関係となるように、上記鉛直方向面に取り付けるための取り付け手段であって、上記鏡パネルと上記鉛直方向面との間に、上記上端及び上記下端において開放されるプレナムスペースを形成し、上記下端を通して入り上記上端を通して出る上昇空気に対して、上記プレナムスペースを通る実質的に鉛直な空気通過経路を提供する、取り付け手段と、
上記下端の少なくとも一部に実質的に沿うＵＶ光源であって、上記下端近傍の空気を局所的に加熱することによって、対流を促進し、これにより、上記ＵＶ光が、上記ＵＶ光に暴露された上記プレナムスペースを上方に移動する空気を除菌する、ＵＶ光源と、
を備える化粧鏡。
［項目２］
上記鏡パネルは、矩形であり、上記上端は、上記矩形パネルの１つの側と同方向に延びており、上記下端は、上記矩形パネルの反対側と同方向に延びている、項目１に記載の化粧鏡。
［項目３］
上記取り付け手段は、壁のブロック材に取り付け可能なウォールブラケットを含む、項目１に記載の化粧鏡。
［項目４］
上記取り付け手段は、上記ウォールブラケットに取り付け可能な鏡ハンガを含む、項目３に記載の化粧鏡。
［項目５］
上記鏡ハンガは、上記ウォールブラケットに取り付け可能な長取り付け部分と、上記長取り付け部分の１つの側方における短取り付け部分と、を含み、前記短取り付け部分は、壁に取り付けられた場合に、上記ブラケットから離れるように、上記長取り付け部分と実質的に垂直な方向に突出する、項目４に記載の化粧鏡。
［項目６］
上記鏡取り付け部分は、上記鏡が壁に取り付けられた場合に、実質的に鉛直方向の自由端を形成し、上記取り付け手段は、取り付ける上記壁と実質的に平行な、上記プレナムスペースを形成する標準的閉鎖位置と、上記プレナムスペースへのアクセスを提供する開放位置との間で移動可能となるように、上記鏡パネルを取り付ける、上記鉛直方向の自由端におけるヒンジを含む、項目５に記載の化粧鏡。
［項目７］
上記プレナムスペースは、上記鏡パネルと上記壁との間において、約２インチ（約５０．８ｍｍ）の深さである、項目１に記載の化粧鏡。
［項目８］
上記鏡パネルは、周辺艶消しストリップを含む、項目１に記載の化粧鏡。
［項目９］
上記ヒンジは、塑性ヒンジである、項目６に記載の化粧鏡。
［項目１０］
上記ＵＶ光源は、２００−２８０ｎｍの範囲内のＵＶ光を発光するＬＥＤのストリップを含む、項目１に記載の化粧鏡。
［項目１１］
上記ＬＥＤは、２４０−２８０ｎｍの範囲内のＵＶ光を発光する、項目１０に記載の化粧鏡。
［項目１２］
上記ＵＶ光源を通過し、上記プレナムスペースを通る対流によって空気の移動を促進すべく、上記下端近傍の空気を加熱するための手段をさらに備える、項目１に記載の化粧鏡。
［項目１３］
上記加熱するための手段は、熱ストリップを含む、項目１２に記載の化粧鏡。
［項目１４］
上記ＵＶ光源は、１００−２８０ｎｍの範囲内の紫外線Ｃ照射を生成する、項目１に記載の化粧鏡。
［項目１５］
上記ＵＶＣ照射は、２４０−２８０ｎｍの範囲にある、項目１４に記載の化粧鏡。
［項目１６］
鏡の裏にプレナムスペースを形成すべく、壁から予め定められた間隔を有する化粧鏡を有する医療施設、ワークスペース及び他のチャンバの空気を消毒又は滅菌する方法であって、
上記空気を加熱し、上記プレナムスペースを通して上記空気を上昇させ、上記空気における病原体を、１００−２８０ｎｍの範囲のＵＶＣ光に暴露すべく、上記鏡の下端にＵＶ光を提供する段階、
を備える方法。
［項目１７］
上記プレナムスペースを通る空気の移動を促進し、かつ、上記ＵＶ光に対する、消毒又は滅菌されるべき空気の暴露を加速すべく、空気の補助加熱をさらに提供する、項目１６に記載の化粧鏡。
［項目１８］
補助加熱は、上記鏡の上記下端における熱ストリップによって提供される、項目１７に記載の化粧鏡。
［項目１９］
ＵＶＣ光は、２４０−２８０ｎｍの範囲にあるように選択される、項目１６に記載の化粧鏡。
［項目２０］
上記ＵＶＣ光は、上記鏡の上記下端近傍のＬＥＤストリップによって提供される、項目１６に記載の化粧鏡。
【図１】
2018118044.tif 000003
【図２】
2018118044.tif 000004
【図３】
2018118044.tif 000005
【図４】
2018118044.tif 000006
【図５】
2018118044.tif 000007
【図６】
2018118044.tif 000008
【図７】
2018118044.tif 000009
【図８】
2018118044.tif 000010
【図９】
2018118044.tif 000011
【図１０】
2018118044.tif 000012
【図１１】
2018118044.tif 000013
【図１２】
2018118044.tif 000014
【図１３】
2018118044.tif 000015
【図１４】
2018118044.tif 000016
【図１５】
2018118044.tif 000017